(57)【特許請求の範囲】
【請求項１】
漁業用器具着脱器であって、
漁業用器具の各々を結合するソケット部材と、
一端には前記ソケット部材が結合され、他端には連結ロープを着脱可能な連結溝が形成された連結部材と、
前記連結部材の連結溝の選択的な露出のために、前記ソケット部材の外面に沿って前記ソケット部材に対して摺動する開閉用スリーブと、
前記連結部材の外面を包み込むように、前記ソケット部材と開閉用スリーブに内蔵され、前記連結溝が露出しないように前記開閉用スリーブを付勢する弾性手段とを有することを特徴とし、
前記連結ロープと結合する際には、前記開閉用スリーブを摺動させて露出した前記連結部材の連結溝に前記連結ロープを掛けてから連結溝が露出しない状態に戻し、前記連結ロープから外す際には前記開閉用スリーブが開口部を有する分離手段に押さえられてソケット部材の外面に沿って摺動することにより前記連結溝が露出され、前記連結溝に掛けられた前記連結ロープが連結溝から滑って前記分離手段の開口部を通過させて離脱させることを特徴とする漁業用器具着脱器。
【請求項２】
前記開閉用スリーブには、その中央の内周面に沿って止めフランジが設けられ、前記止めフランジの上面には前記連結部材の連結溝の下部に形成された段部が当接し、前記止めフランジの下面には前記弾性手段が配設されていることを特徴とする請求項１に記載の漁業用器具着脱器。
【請求項３】
前記ソケット部材が、下部の前記漁業用器具と結合される結合部と、上部のその外面に沿って前記開閉用スリーブが摺動するスライド部と、前記スライド部の上部内面に前記弾性手段の収納のための収納部とを有することを特徴とする請求項１に記載の漁業用器具着脱器。
【請求項４】
前記連結部材の一端が、前記スライド部の内面に螺合されることを特徴とする請求項１に記載の漁業用器具着脱器。
【請求項５】
前記ソケット部材の結合部に、前記漁業用器具の容易な結合のための切欠き部が設けられていることを特徴とする請求項３に記載の漁業用器具着脱器。
【請求項６】
前記弾性手段が、前記連結部材に嵌装された円形の引張りばねであることを特徴とする請求項１に記載の漁業用器具着脱器。
【請求項７】
漁業用器具着脱器であって、
一端には漁業用器具が結合され、他端には連結ロープを着脱可能な連結溝が形成された連結部材と、
前記連結部材の連結溝が選択的に露出されるように、前記連結溝に沿って摺動する開閉用スリーブと、
前記開閉用スリーブと結合されて前記開閉用スリーブと共に前記連結部材に沿って摺動するソケット部材と、
前記連結部材の外面を包み込むように前記ソケット部材に内蔵され、前記連結溝が露出しないように、前記開閉用スリーブを付勢する弾性手段とを有することを特徴とし、
前記連結ロープと結合する際には、前記開閉用スリーブを摺動させて露出した前記連結部材の連結溝に前記連結ロープを掛けてから連結溝が露出しない状態に戻し、前記連結ロープから外す際には前記開閉用スリーブが開口部を有する分離手段に押さえられてソケット部材の外面に沿って摺動することにより前記連結溝が露出され、前記連結溝に掛けられた前記連結ロープが連結溝から滑って前記分離手段の開口部を通過させて離脱させることを特徴とする漁業用器具着脱器。
【請求項８】
前記開閉用スリーブには、下部内面に径方向内向き突出部が設けられ、前記径方向内向き突出部の上面には前記連結部材の連結溝の下部に形成された段部が当接し、前記径方向内向き突出部の下面には前記弾性手段が配設されていることを特徴とする請求項７に記載の漁業用器具着脱器。
【請求項９】
前記ソケット部材が、上部内面に前記開閉用スリーブと結合する結合部と、内部に前記弾性手段の収納のための収納部とを含むことを特徴とする請求項７に記載の漁業用器具着脱器。
【請求項１０】
前記ソケット部材の結合部が、前記開閉用スリーブの下部外面と螺合されることを特徴とする請求項９に記載の漁業用器具着脱器。
【請求項１１】
前記連結部材の中央部に形成された止め輪結合溝に結合された止め輪をさらに含み、前記止め輪上にガイド部材が配設されていることを特徴とする請求項７に記載の漁業用器具着脱器。
【請求項１２】
前記弾性手段が、前記連結部材に嵌装された円形の引張りばねであることを特徴とする請求項７に記載の漁業用器具着脱器。
【請求項１３】
前記ソケット部材の外面に、複数の吐出孔が設けられていることを特徴とする請求項７に記載の漁業用器具着脱器。
【発明の詳細な説明】
【０００１】
【発明の属する技術分野】
本発明は、海底に沈降させ用いる漁業用器具とロープとの着脱を容易にする漁業用器具着脱器及びその方法に関する。
【０００２】
【従来の技術】
海底に沈降させて用いる漁業用器具には、例えば鰻、渡蟹、蛸といった魚類を捕獲するとき用いる筌（うけ）、壷、魚網などがある。この説明では、鰻筌と渡蟹筌を例にとって説明する。このような筌は、捕獲対象によって様々な形状及び構造を有している。
【０００３】
周知のように、筌はメインロープに一定の間隔で吊下げて海底に沈められ、一定の時間の経過後、引揚げ機で引揚げてその筌をメインロープから取外して用いる。従来には、メインロープの連結輪に筌を連結させた結合用ロープを結んで吊していたので、魚の捕獲した筌を収めるときは、漁船に取付けられた案内ローラの直前に熟練者が立って引揚げ機にて引揚げられる筌の結合用ロープを解いて外す方法を用いていた。
【０００４】
このため、メインロープに吊り引揚げられる数百個の筌を一々作業者が解かなければならないので、作業が面倒で長い作業時間を要するという問題があり、且つ、手が水に濡れて滑りやすくなり筌を解き難くなる場合もあった。また、夜間は見にくいため解く際の確認に時間がかかり、作業も難しくなるという不都合もあった。そのうえ、出漁作業の際、数百個の筌をメインロープに一々吊らなければならず、この作業は煩瑣でかつ非常に時間がかかるという問題があった。
【０００５】
大韓民国実用公告第９１−６４２８号、実用公開第９０−７８６１号、第９７−２０４１９号、第９７−４８７２４号、第９８−２８８７４号、第９８−５５３７０号、第９８−５９６３８号、及び第９８−６３０３１号には、そのような筌の着脱作業を容易に行えるようにする筌自動脱落装置が開示されている。
【０００６】
例えば、大韓民国実用公告第９８−６３０３１号には、図１に示すように、筌１の挿入孔２が形成された外面において、ばね３で軸方向に付勢された開閉用スリーブ４と、ロックボール５、５′付きソケット６とを結合し、メインロープ７の連結ロープ８には、ロックボール５、５´が係合する止め溝１０が設けられた挿入管９を有するプラグ１１を結合して、筌１が結合されたソケット６をプラグ１１に嵌装して結合し、これを複数の円板１４、１４´を装着した上下２つのローラ１５、１５´より構成された分離装置を通過させると、ソケット６に付着された開閉用スリーブ４が軸線方向に押されて分離される筌自動脱落装置が開示されている。
【０００７】
しかしながら、このように筌１の連結手段として雌雄１対のソケット６及びプラグ１１を用いた先願は、連結ロープ８から筌を容易に取外しできるだけでなく、その取外し作業を自動化できるという長所を有するが、連結部材が雌雄に分かれており、連結ロープ８が引揚げ機に巻かれるとき、プラグ１１が連結ロープ８に結合されたまま巻かれることになるので、メインロープ７が非常に不安定な状態で引揚げ機に巻かれるという短所がある。また、共に巻かれるプラグ１１が分離装置により破損する恐れがあり、且つ、このメインロープ７が嵩ばって効率が落ちるという不都合がある。
【０００８】
また、大韓民国実用公開第９８−２８８４７号には、メインロープに小型のクリップを固定し、筌には縺れ防止用ワイヤを結び、これにクランプを取着することでより容易に筌が自動脱落できるようにした自動脱落装置が開示されているが、これを用いるためには、メインロープに一定の間隔で結ばれている連結ロープをすべてクリップに交換しなければならないので、通常のメインロープを用いることができないという問題があった。
【０００９】
【発明が解決しようとする課題】
従って、本発明の主な目的は、筌等の漁業用器具を結合した状態で連結ロープへの着脱が可能なロープ着脱器を漁業用器具と一体に形成することによって、従来の漁業用器具を利用しながらそのロープ着脱器が破損することを防止し得る漁業用器具着脱器及び方法を提供することにある。
【００１０】
【課題を解決するための手段】
上記の目的を達成するために、本発明の一実施例によれば、漁業用器具着脱器であって、
漁業用器具の各々を結合するソケット部材と、
一端には前記ソケット部材が結合され、他端には連結ロープを着脱可能な連結溝が形成された連結部材と、
前記連結部材の連結溝の選択的な露出のために、前記ソケット部材の外面に沿って前記ソケット部材に対して摺動する開閉用スリーブと、
前記連結溝が露出しないように前記開閉用スリーブを付勢する弾性手段とを有することを特徴とし、
前記連結ロープと結合する際には、前記開閉用スリーブを摺動させて露出した前記連結部材の連結溝に前記連結ロープを掛けてから連結溝が露出しない状態に戻し、前記連結ロープから外す際には前記開閉用スリーブを摺動させて前記連結部材の連結溝を露出することにより前記連結溝に掛けられた前記連結ロープを離脱させることを特徴とする漁業用器具着脱器が提供される。
【００１１】
本発明の他の実施例によれば、漁業用器具着脱器であって、
一端には漁業用器具が結合され、他端には連結ロープを着脱可能な連結溝が形成された連結部材と、
前記連結部材の連結溝が選択的に露出されるように、前記連結溝に沿って摺動する開閉用スリーブと、
前記開閉用スリーブと結合されて前記開閉用スリーブと共に前記連結部材に沿って摺動するソケット部材と、
前記連結溝が露出しないように、前記開閉用スリーブを付勢する弾性手段とを有することを特徴とし、
前記連結ロープと結合する際には、前記開閉用スリーブを摺動させて露出した前記連結部材の連結溝に前記連結ロープを掛けてから連結溝が露出しない状態に戻し、前記連結ロープから外す際には前記開閉用スリーブを摺動させて前記連結部材の連結溝を露出することにより前記連結溝に掛けられた前記連結ロープを離脱させることを特徴とする漁業用器具着脱器が提供される。
【００１２】
【発明の実施の形態】
以下、本発明の好適実施例について図面を参照しながらより詳しく説明する。
【００１３】
図２は本発明の好適実施例による漁業用器具自動脱落装置を示す断面図であり、図３はその分解断面図であり、図４はその使用状態図である。本明細書においては、漁業用器具として鰻筌１を例にとって説明する。
【００１４】
図４に示すように、本発明の漁業用器具着脱器によるロープ着脱器１００は、メインロープ７に一定の間隔で結ばれた複数の連結ロープ８に各々連結された鰻筌１を選択的に連結及び分離するものであり、このようなロープ着脱器１００は図２及び図３に示すように、鰻筌１を結合するソケット部材２０と、連結ロープ８に連結及び分離される連結部材３０と、ソケット部材２０の外面に沿って摺動する開閉用スリーブ４０と、開閉用スリーブ４０を付勢する弾性部材５０とより構成される。
【００１５】
ソケット部材２０には、下部に鰻筌１が結合される結合部２２と、上部の外面に上記開閉用スリーブ４０が摺動するスライド部２４と、該スライド部２４の上部内面に弾性部材５０を収納する収納部２６とが形成され、この際、結合部２２には鰻筌１との結合を容易にするように、１／３程度切欠きされた切欠き部２８を設けることが好ましい。
【００１６】
連結部材３０は、一端にはねじ部３６が形成されており、これはソケット部材２０のスライド部２４の内面に螺合され、他端には連結ロープ８が着脱される連結溝３２が形成され、この連結溝３２の下部には段部３４が形成される。
【００１７】
ソケット部材２０の外面に沿って摺動する開閉用スリーブ４０は、その中央の内周面に沿って止めフランジ４２が設けられ、このような止めフランジ４２の上面には連結部材３０の段部３４が当接し、下面には弾性部材５０が配設され、連結部材３０の連結溝３２が露出しないように開閉用スリーブ４０を上方に常に付勢する。
【００１８】
弾性部材５０としては円形の引張りばねが好ましく、連結部材３０に嵌装される。
【００１９】
このように構成された本発明の好適実施例による漁業用器具着脱器の動作を、図５及び図６を参照して説明する。
【００２０】
まず、図５に示すように、引揚げ機（図示せず）の動作によりメインロープ７の連結ロープ８に連結された本発明のロープ着脱器１００が鰻筌１を結合した状態で分離手段３００の間を通して引揚げられると、図６に示すように開閉用スリーブ４０が矢印Ａの方向に摺動して連結部材３０の連結溝３２が露出する。これによって、連結ロープ８が連結溝３２から離脱すると共に、引揚げ機に巻取られ、本発明のロープ着脱器１００は鰻筌１と結合した状態で離脱することになる。この際、分離手段３００は本発明のロープ着脱器１００が通過できない程度の大きさの孔、即ち、開閉用スリーブ４０の直径より小さく、開閉用スリーブ４０が摺動し連結部材３０の連結溝３２が露出したとき連結ロープ８が円滑に脱離できる程度の大きさの孔が形成されたものであればよい。
【００２１】
一方、図７及び図８は、本発明の他の実施例による漁業用器具着脱器を、図９はその使用状態を示している。ここでは、漁業用器具として渡蟹筌１′を例にとって説明する。
【００２２】
図示の如く、本発明の他の実施例による漁業用器具着脱器のロープ着脱器２００は、連結部材６０と、この連結部材６０に沿って摺動する開閉用スリーブ７０と、この開閉用スリーブ７０と結合したソケット部材８０と、開閉用スリーブ７０を付勢する弾性部材９０とにより構成される。
【００２３】
連結部材６０は、上部に連結ロープ８を着脱できるように形成された連結溝６２と、この連結溝６２の下部に形成された段部６４と、中央部に形成された止め輪結合溝６６と、渡蟹筌１′の結合ロープが結合するように下部に形成された孔６８とより構成される。
【００２４】
開閉用スリーブ７０には、その下部内面に径方向内向き突出部７２が設けられており、この径方向内向き突出部７２の上面に連結部材６０の段部６４が当接し、その下面には弾性部材９０が配設されて連結部材６０の連結溝６２が露出しないように開閉用スリーブ７０を上方に常に付勢している。
【００２５】
ソケット部材８０には、上部の内面に開閉用スリーブ７０と結合される結合部８２と、該結合部８２の下部に弾性部材９０を収納する収納部８４とが形成される。この場合、結合部８２は、好ましくは開閉用スリーブ７０の下部外面に形成されたねじ部７４と螺合される。
【００２６】
弾性部材９０としては円形の引張りばねが好ましく、連結部材６０に嵌装される。この際、止め輪１５０は連結部材６０の中央部に形成された止め輪結合溝６６に結合され、このような止め輪１５０上に位置されたガイド部材１６０によりガイドされることが好ましい。
【００２７】
一方、開閉用スリーブ７０とソケット部材８０の内部に例えば干潟の泥のような海底の異物が入りこみ、堆積して、弾性部材９０の円滑な動作が損なわれるおそれがある。このために、図１２に示すように、ソケット部材８０の外面にその内外部を貫通する複数の吐出孔８６を設け、その吐出孔８６を通して開閉用スリーブ７０とソケット部材８０の内部へ水が自由に流出入できるようにすることによって、引揚げの際、内部に堆積した異物が自然に洗い流されるようにしている。
【００２８】
このように構成された本発明の他の実施例による漁業用器具着脱器の動作を、以下、図１０及び図１１を参照して説明する。
【００２９】
初めに図１０に示すように、引揚げ機（図示せず）等を利用してメインロープ７を巻き上げることより、メインロープに取着された連結ロープ８に結合された本発明のロープ着脱器２００を、それが渡蟹筌１′等のような漁業用器具と結合した状態で引揚げる。引揚げられたとき、図１１に示すように、開閉用スリーブ７０を押さえながら連結ロープ８を引くか連結部材６０を押すことにより、連結部材６０を開閉用スリーブ７０及びソケット部材８０に対して矢印の方向に摺動させて、連結溝６２を露出する。これにより連結ロープ８が連結溝６２から外れ、本発明のロープ着脱器２００は渡蟹筌１′等の漁業用器具と結合したままの状態で脱落することになる。連結溝６２を露出するために連結部材６０を摺動させる操作は手で行うか、または図に示されている分離手段３００のような開閉用スリーブ７０の抑え具を用いて自動的又は半自動的に行うことができる。
【００３０】
上記において、本発明の好適な実施の形態について説明したが、本発明の請求範囲を逸脱することなく、当業者は種々の改変をなし得るであろう。
【００３１】
【発明の効果】
従って、本発明によれば、海底に沈降させた漁業用器具の引揚げ時、ロープ着脱器と漁業用器具との結合を保持したまま、それらが連結ロープから外れるため、引揚げ機にはメインロープと連結ロープのみが巻取られることになり、ロープ着脱器の破損が防止されるとともに、引揚げ機に巻取られるロープの嵩を減らすことができる。
【００３２】
また、引揚げの際、一体に形成されたロープ着脱器内に連結ロープが結合されて、加えられる荷重の影響が少なくなり、かつ、漁業用器具が海底の障害物に掛っても連結ロープが脱離しにくくなるため、漁業用器具の流失の危険が少なくなる。
【００３３】
さらに、メインロープまたはそれに一定の間隔で結ばれている連結ロープを変形させたり、別の部材を取着する必要なく通常のロープをそのまま利用でき、熟練者でなくても連結ロープとの着脱を容易に行うことができるようになる。
【図面の簡単な説明】
【図１】従来の漁業用器具着脱器の一例を示す断面図である。
【図２】本発明の好適実施例による漁業用器具着脱器を示す断面図である。
【図３】図２の漁業用器具着脱器の分解断面図である。
【図４】図２の漁業用器具着脱器の使用状態図である。
【図５】連結ロープに連結された図２の漁業用器具着脱器が分離手段を通過する前の状態を示す断面図である。
【図６】図２の漁業用器具着脱器が漁業用器具と結合したまま連結ロープから外される状態を示す断面図である。
【図７】本発明の別の実施例による漁業用器具着脱器を示す断面図である。
【図８】図７の漁業用器具着脱器の分解断面図である。
【図９】図７の漁業用器具着脱器の使用状態図である。
【図１０】連結ロープに連結された図７の漁業用器具着脱器が分離手段を通過する直前の状態を示す断面図である。
【図１１】図７の漁業用器具着脱器が漁業用器具を結合したまま連結ロープから外される状態を示す断面図である。
【図１２】図８中の線Ａ−Ａ′に沿って切った断面図である。
【符号の説明】
２０、８０  ソケット部材
２２、８２  結合部
２４  スライド部
２６、８４  収納部
２８  切欠き部
３０、６０  連結部材
３２  連結溝
３４、６４  段部
３６、７４  ねじ部
４０、７０  開閉用スリーブ
４２  止めフランジ
５０  弾性部材
６６  止め輪結合溝
６８  孔
８６  吐出孔
９０  弾性部材
１００、２００  ロープ着脱器
１５０  止め輪
１６０  ガイド部材
３００  分離手段
【図１】
0003703340.tif 000002
【図２】
0003703340.tif 000003
【図３】
0003703340.tif 000004
【図４】
0003703340.tif 000005
【図５】
0003703340.tif 000006
【図６】
0003703340.tif 000007
【図７】
0003703340.tif 000008
【図８】
0003703340.tif 000009
【図９】
0003703340.tif 000010
【図１０】
0003703340.tif 000011
【図１１】
0003703340.tif 000012
【図１２】
0003703340.tif 000013